(57)【要約】      （修正有）【課題】発光体を付けたまま洗濯可能であり、かつ、分割タイプであっても発光体を適切な位置に係止できる安全ベストを提供する。【解決手段】安全ベスト１は、それぞれ別体に形成される一対の前身ごろ（右前身ごろ１１及び左前身ごろ１２）及び後身ごろ１３にそれぞれ設けられ、一対の前身ごろを後身ごろ１３に係止位置を調整可能に係止する係止部（係止凸部１１３、係止凸部１２３、及び係止凹部１３３）と、水が浸み込まないように周囲がシールされる透光性のフィルムの間に導電線及び導電線に接続される発光体を有する発光体テープ２００と、安全ベスト１の裏面に設置され、発光体テープ２００を着脱可能に保持する保持部（右保持部、左保持部、及び後保持部１３６）と、発光体テープ２００の端部に設けられ、発光体テープ２００の安全ベスト１への係止位置を調整する調整係止部と、発光体に電力を供給する電池と、を備える。【選択図】図１
0003210398.tif 000002
【実用新案登録請求の範囲】
【請求項１】
それぞれ別体に形成される一対の前身ごろ及び後身ごろにそれぞれ設けられ、一対の前記前身ごろを前記後身ごろに係止位置を調整可能に係止する係止部と、
水が浸み込まないように周囲がシールされる透光性のフィルムの間に導電線及び前記導電線に接続される発光体を有する発光体テープと、
前記発光体テープを着脱可能に保持する保持部と、
前記発光体テープの端部に設けられ、前記発光体テープの係止位置を調整する調整係止部と、
前記発光体に電力を供給する電池と、
を備える安全ベスト。
【請求項２】
前記保持部は、
メッシュを含む前記安全ベストの裏面に設けられ、前記発光体テープを挿通して保持する請求項１に記載の安全ベスト。
【請求項３】
前記調整係止部は、
前記発光体テープの端部及び前記安全ベストの帯部に設けられるホックである請求項２に記載の安全ベスト。
【考案の詳細な説明】
【技術分野】
【０００１】
本考案は、安全ベストに関する。
【背景技術】
【０００２】
例えば、工事現場や警備の現場、或いは交通の激しい場所における作業において、作業者は作業者の存在を他者に視認させるように、安全ベストを着用する場合がある。
【０００３】
この安全ベストは、視認性の優れた色材を用いて染色され、光を反射する反射材が表面に設置されるなどして、視認性をできるだけ高められる。さらに、夜間やトンネルの中など、暗い場所においても視認性を高めるために、発光体が安全ベストに取り付けられる。
【０００４】
この発光体は、例えば乾電池などにより駆動されるＬＥＤ（light emitting diode：発光ダイオード）が用いられる。ＬＥＤは複数個が接続されて取り付けられる（例えば、特許文献１。）。
【０００５】
ところで、安全ベストは汗やほとりなどによって汚れやすい。汚れた場合、洗濯が行われる。
【０００６】
従来の安全ベストは、洗濯などの際に発光体が水によって壊れないように、着脱可能に取り付けられていた（例えば、特許文献２。）。
【０００７】
しかし、発光体を着脱するのは慣れたものでなければ時間がかかり、面倒なものであった。
【０００８】
加えて、安全ベストは前身ごろと後身ごろに分割され、丈の長さが調節できる分割タイプのものがある。このタイプの安全ベストは、発光体が着脱できないか（例えば、特許文献３。）、従来発光体の長さが調節できず、丈を短くした場合発光体が安全ベストに固定できない場合があった。
【先行技術文献】
【特許文献】
【０００９】
【特許文献１】実用新案登録第３１９２０１５号公報
【特許文献２】特開２０１１−８４８３８号公報
【特許文献３】特開２００５−１９４６７１号公報
【考案の概要】
【考案が解決しようとする課題】
【００１０】
本考案が解決しようとする課題は、発光体を付けたまま洗濯可能であり、かつ、分割タイプであっても発光体を適切な位置に係止できる安全ベストを提供することである。
【課題を解決するための手段】
【００１１】
本発明は、それぞれ別体に形成される一対の前身ごろ及び後身ごろにそれぞれ設けられ、一対の前記前身ごろを前記後身ごろに係止位置を調整可能に係止する係止部と、水が浸み込まないように周囲がシールされる透光性のフィルムの間に導電線及び前記導電線に接続される発光体を有する発光体テープと、前記発光体テープを着脱可能に保持する保持部と、前記発光体テープの端部に設けられ、前記発光体テープの係止位置を調整する調整係止部と、前記発光体に電力を供給する電池と、を備える安全ベストを提供する。
【考案の効果】
【００１２】
本考案によれば、発光体を付けたまま洗濯可能であり、かつ、分割タイプであっても発光体を適切な位置に係止できる安全ベストを提供することができる。
【図面の簡単な説明】
【００１３】
【図１】安全ベストを組み立てた場合の斜視図。
【図２】安全ベストの裏側を示す斜視図。
【図３】安全ベストの前身ごろの表側を示す図。
【図４】図３におけるＡＡ線断面図。
【図５】安全ベストの前身ごろの裏側を示す図。
【図６】安全ベストの後身ごろの表側を示す図。
【図７】安全ベストの後身ごろの裏側を示す図。
【図８】発光体テープの正面図。
【図９】発光体テープの導電線を保持する導電線保持部の拡大図。
【図１０】発光体テープの部分拡大図。
【考案を実施するための形態】
【００１４】
以下、本考案にかかる安全ベスト１の一実施形態を、図面を参照しながら説明する。
【００１５】
図１は安全ベスト１を組み立てた場合の斜視図、図２は、安全ベスト１の裏側を示す斜視図、図３は安全ベスト１の前身ごろの表側を示す図、図４は図３におけるＡＡ線断面図、図５は安全ベスト１の前身ごろの裏側を示す図、図６は安全ベスト１の後身ごろの表側を示す図、図７は安全ベスト１の後身ごろの裏側を示す図である。
【００１６】
図１から図７に示すように、安全ベスト１は、後身ごろ１３と、後身ごろ１３に着脱可能に取り付けられる右前身ごろ１１及び左前身ごろ１２と、を備える。安全ベスト１は、ライニングを除き、光を透過する材質、例えばメッシュを含む材質が用いられる。
【００１７】
右前身ごろ１１は、着用した場合に肩から腹部にかけて伸びる右前本体部１１１Ａと、右前本体部１１１Ａの下端に設けられる右前帯部１１１Ｂと、を備える。
【００１８】
右前本体部１１１Ａは表側に、上端部に後身ごろ１３の上端部に設けられる係止凹部１３３（ホック凹部）に係止される係止凸部１１３（ホック凸部）と、上下方向に沿って設けられ、光を反射させる反射材１１２と、反射材１１２に沿って設けられ、別途設けられるポケットを係止する第１の面ファスナーのループ部１１７と、右前本体部１１１Ａの着用者の腹部に対応する部分に設置され、左前身ごろ１２に設けられる第２の面ファスナーのループ部１２５に係止される第２の面ファスナーのフック部１１５と、を備える。
【００１９】
右前帯部１１１Ｂは表側に、右側端部に設けられ、後身ごろ１３の後帯部１３１Ｂの側端部に設けられる係止凹部１３４（ホック凹部）に係止される係止凸部１１４（ホック凸部）と、横方向に延びる反射材１１２と、右前帯部１１１Ｂの着用者の腹部に対応する部分に設置され、左前身ごろ１２に設けられる第２の面ファスナーのループ部１２５に係止される第２の面ファスナーのフック部１１５と、を備える。
【００２０】
左前身ごろ１２は、着用した場合に肩から腹部にかけて伸びる左前本体部１２１Ａと、左前本体部１２１Ａの下端に設けられる左前帯部１２１Ｂと、を備える。
【００２１】
左前本体部１２１Ａは表側に、上端部に後身ごろ１３の上端部に設けられる係止凹部１３３（ホック凹部）に係止される係止凸部１２３（ホック凸部）と、上下方向に沿って設けられ、光を反射させる反射材１１２と、反射材１１２に沿って設けられ、別途設けられるポケットを係止する第１の面ファスナーのループ部１１７と、左前本体部１２１Ａの着用者の腹部に対応する部分に設置され、右前身ごろ１１に設けられる第２の面ファスナーのフック部１１５に係止される第２の面ファスナーのループ部１２５と、を備える。
【００２２】
左前帯部１２１Ｂは表側に、左側端部に設けられ、後身ごろ１３の後帯部１３１Ｂの側端部に設けられる係止凹部１３４（ホック凹部）に係止される係止凸部１２４（ホック凸部）と、横方向に延びる反射材１１２と、左前帯部１２１Ｂの着用者の腹部に対応する部分に設置され、右前身ごろ１１に設けられる第２の面ファスナーのフック部１１５に係止される第２の面ファスナーのループ部１２５と、を備える。
【００２３】
後身ごろ１３は表側に、着用者の肩から腹部にかけて伸びる後本体部１３１Ａと、後本体部１３１Ａの下端に設けられ、着用者の背後の腰回りに対応するように横方向に延びる後帯部１３１Ｂと、を備える。
【００２４】
後本体部１３１Ａは表側に、着用者の両肩から腹部に開けて伸びる２本の反射材１１２と、上端部に右前身ごろ１１の係止凸部１１３、及び左前身ごろ１２の係止凸部１２３と、それぞれ係止される係止凹部１３３を備える。
【００２５】
係止凹部１３３は、着用者の肩から背中方向にかけて複数対設けられる。着用者は、係止凸部１１３及び係止凸部１２３を、複数対の係止凹部１３３の中から選択した１対の係止凹部１３３に係止することにより、安全ベスト１の丈の長さを調節できる。
【００２６】
後帯部１３１Ｂは表側に、着用時に横方向に延びる反射材１１２と、右前身ごろ１１の係止凸部１１４、及び左前身ごろ１２の係止凸部１２４にそれぞれ係止される、複数対の係止凹部１３４を左右の両端部にそれぞれ設けられる。
【００２７】
着用者は、係止凸部１１４及び係止凸部１２４を、複数対の係止凹部１３４の中から選択した１対の係止凹部１３４に係止することにより、安全ベスト１の腹囲の長さを調節できる。
【００２８】
ここで、図２、図５、及び図７を参照して安全ベスト１の裏面について説明する。
【００２９】
右前身ごろ１１及び左前身ごろの下端部には、発光体テープ２００の端部に設けられる調整係止凸部２１６（ホック凸部）が係止される調整係止凹部２１８が設けられる。
【００３０】
さらに、右前身ごろ１１、左前身ごろ１２、及び後身ごろ１３の裏面には、発光体テープ２００を保持する複数の右保持部１１６、左保持部１２６、及び後保持部１３６が設けられる。以下、右保持部１１６、左保持部１２６、及び後保持部１３６を単に保持部と呼ぶ。
【００３１】
各保持部は、上下方向、すなわち丈方向に長いほぼ矩形をなし、長手方向の両辺のみが右前身ごろ１１、左前身ごろ１２、及び後身ごろ１３に縫い付け等によって固定される。従って、各保持部は発光体テープ２００を挿通することができる。
【００３２】
右保持部１１６は、右前身ごろ１１の丈方向に沿って複数個が一列に設けられる。左保持部１２６は、左前身ごろ１２の丈方向に沿って複数個が一列に設けられる。後保持部１３６は、丈方向に沿って、右保持部１１６及び左保持部１２６の列の延長線上に、２列設けられる。
【００３３】
後身ごろ１３は裏面に、電池を収納するバッテリーポケット１３７をさらに備える。後身ごろ１３は、発光体テープ２００の電線を電池２２０に導くように、さらに後保持部１３６を追加できる。
【００３４】
図８は発光体テープ２００の正面図、図９は発光体テープ２００の導電線を保持する導電線保持部２１２の拡大図、図１０は発光体テープ２００の部分拡大図である。
【００３５】
図８から図１０に示すように、発光体テープ２００は、２枚の光透過性のフィルム２１１と、２枚のフィルム２１１の間に配置される導電線保持部２１２と、導電線保持部２１２に保持された一対の導電線２１２Ａと、導電線２１２Ａに接続された発光体２１７と、を備える。
【００３６】
２枚のフィルム２１１は、水が入らないように周囲がシールされる。シールは接着剤によって接着しても、熱溶着によって封止してもよい。
【００３７】
導電線保持部２１２は、２本により一組とされ、各導電線２１２Ａは織布２１２Ｂに織り込まれる。
【００３８】
発光体２１７はＬＥＤ（light emitting diode：発光ダイオード）を用いることができる。発光体２１７は各導電線２１２Ａに接続される。
【００３９】
発光体テープ２００の電池側端部には、防水プラグ２１３を介して電線２１４、及び電線２１５が接続され、電線２１５は電池２２０に、電線２１４は導電線２１２Ａに、それぞれ接続する。
発光体テープ２００の他端部には、調整係止凸部２１６（フック凸部）が複数個設けられる。発光体テープ２００は、保持部に挿通され、端部の調整係止凸部２１６のうち選択された一対の調整係止凸部２１６が
【００４０】
着用者は、安全ベスト１の丈が長すぎると感じた場合には、複数の調整係止凹部２１８のうちから選択された調整係止凹部２１８に調整係止凸部２１６を係止する。調整係止凸部２１６及び調整係止凹部２１８を、以下調整係止部という。
【００４１】
従って、安全ベスト１の丈の長さが変化しても調整係止部によって発光体テープ２００の係止位置を変更することができるため、発光体テープ１００の端部を安全ベスト１に固定できる。
【００４２】
なお、調整係止部は、ホックのほか、面ファスナーなど、係止位置を調整できるものであればどのようなものでも使用することができる。
【００４３】
また、保持部は本実施形態のような発光体テープ２００を挿通するタイプのほか、発光体テープ２００と安全ベスト１とを面ファスナーを介して係止するタイプのものでもよい。
【００４４】
以上述べたように、本実施形態の安全ベスト１は、それぞれ別体に形成される一対の前身ごろ（右前身ごろ１１及び左前身ごろ１２）及び後身ごろ１３にそれぞれ設けられ、一対の前身ごろを後身ごろ１３に係止位置を調整可能に係止する係止部（係止凸部１１３、係止凸部１２３、及び係止凹部１３３）と、水が浸み込まないように周囲がシールされる透光性のフィルムの間に導電線２１２Ａ及び導電線２１２Ａに接続される発光体２１７を有する発光体テープ２００と、安全ベスト１の裏面に設置され、発光体テープ２００を着脱可能に保持する保持部と、発光体テープ２００の端部に設けられ、発光体テープ２００の安全ベスト１への係止位置を調整する調整係止部と、発光体２１７に電力を供給する電池２２０と、を備える。
【００４５】
従って、発光体テープ２００はシールされているため防水性があり、安全ベスト１に装着したまま選択できる。また、安全ベスト１の丈の長さが変化しても、発光体テープ２００の安全ベスト１への係止位置を調整係止部によって調整できる。
【００４６】
よって、本考案によれば、発光体を付けたまま洗濯可能であり、かつ、分割タイプであっても発光体を適切な位置に係止できる安全ベストを提供することができるという効果がある。
【００４７】
また、発光体テープ２００は着脱が可能であるため、発光体２１７の一部が故障した場合でも、発光体テープ２００を交換することにより、安全ベスト１を使用し続けることが可能となる。
【符号の説明】
【００４８】
１  安全ベスト
１００  発光体テープ
１１１Ａ  右前本体部
１１１Ｂ  右前帯部
１１２  反射材
１１３  係止凸部
１１４  係止凸部
１１５  フック部
１１６  右保持部
１１７  ループ部
１２１Ａ  左前本体部
１２１Ｂ  左前帯部
１２３  係止凸部
１２４  係止凸部
１２５  ループ部
１２６  左保持部
１３１Ａ  後本体部
１３１Ｂ  後帯部
１３３  係止凹部
１３４  係止凹部
１３６  後保持部
１３７  バッテリーポケット
２００  発光体テープ
２１１  フィルム
２１２  導電線保持部
２１２Ａ  導電線
２１２Ｂ  織布
２１３  防水プラグ
２１４  電線
２１５  電線
２１６  調整係止凸部
２１７  発光体
２１８  調整係止凹部
２２０  電池
【図１】
0003210398.tif 000003
【図２】
0003210398.tif 000004
【図３】
0003210398.tif 000005
【図４】
0003210398.tif 000006
【図５】
0003210398.tif 000007
【図６】
0003210398.tif 000008
【図７】
0003210398.tif 000009
【図８】
0003210398.tif 000010
【図９】
0003210398.tif 000011
【図１０】
0003210398.tif 000012